(57)【要約】【課題】共通アンテナを同時に用いる複数のＲＦ送受信機を有する移動無線通信デバイスおよび関連する方法を提供すること。【解決手段】筐体３２と、該筐体３２によって保持され、その上に複数の間隔の開いた信号供給点３４ａ〜３４ｎを有する共通アンテナ３３と、該筐体３２によって保持され、該共通アンテナ３３の該信号供給点３４ａ〜３４ｎのうちのそれぞれ１つに結合された複数の無線周波数（ＲＦ）送受信機３５ａ〜３５ｎであって、各無線ＲＦ送受信機はまた、それらに関連するそれぞれ異なる動作周波数を有する、無線周波数（ＲＦ）送受信機３５ａ〜３５ｎと、該共通アンテナを同時に使用して、該無線ＲＦ送受信機３５ａ〜３５ｎの少なくとも一部を選択的に動作するコントローラ３６とを備えている、移動無線通信デバイス３０を提供する。【選択図】図１
2011091813.tif 000002
【特許請求の範囲】
【請求項１】
本願明細書に記載の移動ワイヤレス通信デバイス。
【発明の詳細な説明】
【技術分野】
【０００１】
本発明は、通信デバイスの分野に関し、より明確には移動無線通信デバイスおよび関連する方法に関する。
【背景技術】
【０００２】
セル式通信システムは、特に成長し続け、個人通信およびビジネス通信の両方の必須部分になっている。セル式電話は、ユーザが移動するほとんどいかなる場所においても、ユーザが音声コールを掛けたり、受けたりすることを可能にする。さらに、セル式電話技術が増強すると、セル式デバイスの機能性およびユーザが利用可能な異なるタイプのデバイスも増強する。例えば、今、多くのセル式デバイスがパーソナルデジタルアシスタント（ＰＤＡ）機能、例えば、カレンダー、アドレス帳、タスクリストなどに組み込まれる。さらに、このような多機能デバイスはまた、例えば、ユーザが、無線で電子メール（ｅｍａｉｌ）を送信および受信すること、ならびにセル式ネットワークおよび／または無線ローカルエリアネットワーク（ＷＬＡＮ）を経由してインターネットにアクセスすることを可能にする。
【０００３】
たとえ、セル式通信デバイスが増強し続ける場合でも、ユーザにとって保持することがより簡単で、より便利な、より小さいデバイスに対する需要も増加する。セル式デバイス製造者を困らせる、これに対する１つの挑戦は、アンテナが利用可能な、相対的に限定された量のスペースに所望の動作特性を提供するアンテナを設計することである。このことは、多周波数帯の動作が必要とされる場合に特に正しい。一部の無線通信デバイスは複数の無線周波数（ＲＦ）帯をカバーするために複数のアンテナを使用する。従って、動作周波数帯の数が増加するにつれ、必要とされるアンテナの数も増加する。結果として、このようなスペースの制約によって、一部の実施形態における、全ての所望の周波数帯において動作を提供するために必要とされる、全てのアンテナを含むことは不可能であり得る。
【０００４】
動作周波数帯の数がかなり小さい場合には、一部の従来の移動無線通信デバイスは、周波数帯をカバーするために単一のアンテナを使用する。しかし、このようなデバイスにおいては、全周波数帯にわたる望ましいマッチおよびアンテナゲインを得ることは困難であり得、一部のトレードオフが、周波数帯の間でなされることが必要であり得る。
【０００５】
複数の周波数帯にわたる動作のために使用される単一のアンテナシステムの１つの例は、Ｈａｙｅｓ他に対する特許文献１に開示されている。この特許は、複数の周波数帯内で放射する通信デバイス、例えば、無線電話のための、平面逆Ｆアンテナに向けられる。複数の信号供給は、それぞれ間隔の開いた位置の導体エレメントから広がる。それぞれの複数のマイクロエレクトロメカニカルシステム（ＭＥＭＳ）スイッチは、信号供給に電気的に接続され、それぞれの信号供給をアースまたはＲＦ回路に選択的に接続するように構成されている。さらに、各ＭＥＭＳスイッチは開かれ、それぞれの信号供給を電気的に絶縁し得る。
【０００６】
このようなアンテナは、異なる時間に異なる周波数帯にわたる動作、および相対的に小さい動作周波数の範囲にわたる動作にたいして有利であり得る。それにもかかわらず、同時におよびかなり大きい周波数範囲であるが、一方で、ハンドヘルド無線通信デバイスにおける使用に適した相対的にコンパクトなアンテナ構成を依然提供する、多周波動作を提供することが望ましいアプリケーションがあり得る。
【先行技術文献】
【特許文献】
【０００７】
【特許文献１】米国特許第６，６６２，０２８号明細書
【発明の概要】
【課題を解決するための手段】
【０００８】
本発明は、たとえば、以下の手段を提供する。
【０００９】
（項目１）  
筐体と、
該筐体によって保持され、その上に複数の間隔の開いた信号供給点を有する共通アンテナと、
該筐体によって保持され、該共通アンテナの該信号供給点のうちのそれぞれ１つに結合された複数の無線周波数（ＲＦ）送受信機であって、各無線ＲＦ送受信機はまた、それらに関連するそれぞれ異なる動作周波数を有する、無線周波数（ＲＦ）送受信機と、
該共通アンテナを同時に使用するように、該無線ＲＦ送受信機の少なくとも一部を選択的に動作するコントローラと
を備えている、移動無線通信デバイス。
【００１０】
（項目２）
上記筐体内に保持される誘電体基板をさらに備え、上記共通アンテナは、該誘電体基板上に少なくとも１つの導電性のトレースを備えている、項目１に記載の移動無線通信デバイス。
【００１１】
（項目３）
上記共通アンテナはまた、基準電圧点を有する、項目１に記載の移動無線通信デバイス。
【００１２】
（項目４）
上記共通アンテナは、その中に少なくとも１つのスロットを有するパッチアンテナを備えている、項目１に記載の移動無線通信デバイス。
【００１３】
（項目５）
上記パッチアンテナは、概ね長方形の外周を有する、項目４に記載の移動無線通信デバイス。
【００１４】
（項目６）
上記少なくとも１つのスロットは、その中に外部共通アンテナ部分および内部共通アンテナ部分を定義する複数のスロットを備えている、項目４に記載の移動無線通信デバイス。
【００１５】
（項目７）
上記信号供給点のうちの少なくとも１つは、上記内部共通アンテナ部分上にある、項目６に記載の移動無線通信デバイス。
【００１６】
（項目８）
上記信号供給点のうちの少なくとも１つは、上記外部共通アンテナ部分上にある、項目６に記載の移動無線通信デバイス。
【００１７】
（項目９）
上記無線ＲＦ送受信機は、セル式送受信機を備えている、項目１に記載の移動無線通信デバイス。
【００１８】
（項目１０）
上記異なる動作周波数は、約９００ＭＨｚから６ＧＨｚの範囲内である、項目１に記載の移動無線通信デバイス。
【００１９】
（項目１１）
上記異なる動作周波数は、それに関連する異なるユーザ機能を有する、項目１に記載の移動無線通信デバイス。
【００２０】
（項目１２）
上記異なるユーザ機能は、音声通信、電子メール受信、電子メール送信、データ受信およびデータ送信のうちの少なくとも１つを備えている、項目１１に記載の移動無線通信デバイス。
【００２１】
（項目１３）
移動無線通信デバイスを製造する方法であって、
筐体に、それにより保持される共通アンテナを提供することであって、該共通アンテナは、その上に複数の間隔の開いた信号供給点を有する、ことと、
該筐体によってまた保持される複数の無線周波数（ＲＦ）送受信機を、該共通アンテナの該信号供給点のうちのそれぞれ１つに結合することであって、各無線ＲＦ送受信機はまた、それらに関連するそれぞれ異なる動作周波数を有する、ことと、
コントローラを、該複数の無線ＲＦ送受信機に結合して、該共通アンテナを同時に使用するように、該無線ＲＦ送受信機の少なくとも一部を選択的に動作することと
を包含する、方法。
【００２２】
（項目１４）
上記共通アンテナは、少なくとも１つのトレースを備えている、項目１３に記載の方法。
【００２３】
（項目１５）
上記共通アンテナはまた、基準電圧点を有する、項目１３に記載の方法。
【００２４】
（項目１６）
上記共通アンテナは、その中に少なくとも１つのスロットを有するパッチアンテナを備えている、項目１３に記載の方法。
【００２５】
（項目１７）
上記少なくとも１つのスロットは、その中に外部共通アンテナ部分および内部共通アンテナ部分を定義する複数のスロットを備えている、項目１６に記載の方法。
【００２６】
（項目１８）
上記信号供給点のうちの少なくとも１つは、上記内部共通アンテナ部分上にあり、上記信号供給点のうちの少なくとも１つは、上記外部共通アンテナ部分上にある、項目１６に記載の方法。
【００２７】
（項目１９）
上記無線ＲＦ送受信機のうちの少なくとも１つは、セル式送受信機を備えている、項目１３に記載の方法。
【００２８】
（摘要）
移動無線通信デバイスは、筐体と、該筐体によって保持され、その上に複数の間隔の開いた信号供給点を有する共通アンテナとを含み得る。該デバイスは、該筐体によって保持され、該共通アンテナの該信号供給点のうちのそれぞれ１つに結合される複数の無線周波数（ＲＦ）送受信機をさらに含み得る。各無線ＲＦ送受信機はまた、それらに関連するそれぞれ異なる動作周波数を有し得る。さらに、該デバイスはまた、該共通アンテナを同時に有利に使用するために、該無線ＲＦ送受信機のうちの少なくとも１つを選択的に動作するコントローラを含み得る。
【図面の簡単な説明】
【００２９】
【図１】図１は、１つの例示的な実施形態に従う、移動無線通信デバイスの概略的なブロック図である。
【図２】図２は、図１の無線通信デバイスにおける使用のための例示的なパッチアンテナの上面図である。
【図３】図３は、図２のアンテナの１つのインプリメンテーションの第一の供給点に関連する、周波数対反射減衰量のグラフである。
【図４】図４は、図２のアンテナの第一の供給点に関連する、周波数対ゲインのグラフである。
【図５】図５Ａ〜図５Ｃは、第一の信号供給点を用いて、それぞれ９００ＭＨｚ、１８００ＭＨｚおよび５ＧＨｚにおいてシミュレートされた電流分布を図示する、図２のアンテナの上面図である。
【図６】図６Ａ〜図６Ｃは、第一の信号供給点を用いて、それぞれ９００ＭＨｚ、１８００ＭＨｚおよび５ＧＨｚにおいて、図２のアンテナに対する、シミュレートされたアンテナ放射パターンのグラフである。
【図７】図７は、図２のアンテナの第二の供給点に関連する、周波数対反射減衰量のグラフである。
【図８】図８は、図２のアンテナの第二の供給点に関連する、周波数対ゲインのグラフである。
【図９】図９は、第二の信号供給点を用いて、２．４５ＧＨｚにおいてシミュレートされた電流分布を図示する、図２のアンテナの上面図である。
【図１０】図１０は、第二の信号供給点を用いて、２．４５ＧＨｚにおいて、図２のアンテナに対する、シミュレートされたアンテナ放射パターンのグラフである。
【図１１】図１１は、図２のアンテナの第三の供給点に関連する、周波数対反射減衰量のグラフである。
【図１２】図１２は、図２のアンテナの第三の供給点に関連する、周波数対ゲインのグラフである。
【図１３】図１３Ａ〜図１３Ｃは、第三の信号供給点を用いて、それぞれ２．１ＧＨｚ、５．２ＧＨｚおよび５．８ＧＨｚにおいてシミュレートされた電流分布を図示する、図２のアンテナの上面図である。
【図１４】図１４Ａ〜図１４Ｃは、第三の信号供給点を用いて、それぞれ２．１ＧＨｚ、５．２ＧＨｚおよび５．８ＧＨｚにおいて、図２のアンテナに対する、シミュレートされたアンテナ放射パターンのグラフである。
【図１５】図１５は、図２のアンテナの第四の供給点に関連する、周波数対反射減衰量のグラフである。
【図１６】図１６は、図２のアンテナの第四の供給点に関連する、周波数対ゲインのグラフである。
【図１７】図１７は、第四の信号供給点を用いて、１．５４ＧＨｚにおいてシミュレートされた電流分布を図示する、図２のアンテナの上面図である。
【図１８】図１８は、第四の信号供給点を用いて、１．５４ＧＨｚにおいて、図２のアンテナに対する、シミュレートされたアンテナ放射パターンのグラフである。
【図１９】図１９は、図１の移動無線通信デバイスにおける使用のための例示的なコンポーネントを図示する概略的なブロック図である。
【発明を実施するための形態】
【００３０】
本記載は、添付の図面を参照してなされ、図面において、好ましい実施形態が示される。しかしながら、多くの異なる実施形態が使用され得、従って、本記載は、本明細書に述べられる実施形態に限定されるものとして解釈されるべきではない。むしろ、これらの実施形態が提供されることにより、本開示は徹底的で完全になる。同様の番号は、全体にわたって同様のエレメントを参照し、プライム記号は異なる実施形態における類似のエレメントを示すために使用される。
【００３１】
一般的に言うと、移動無線通信デバイスが、本明細書に開示され、該デバイスは、筐体と、筐体によって保持され、その上に複数の間隔の開いた信号供給点を有する共通アンテナとを含み得る。さらに、デバイスは、筐体によって保持され、共通アンテナの信号供給点のうちのそれぞれ１つに結合される複数の無線周波数（ＲＦ）送受信機を含み得る。各無線ＲＦ送受信機はまた、それらに関連するそれぞれ異なる動作周波数を有し得る。さらに、デバイスはまた、無線ＲＦ送受信機の少なくとも一部を選択的に動作して、共通アンテナを同時に有利に使用するコントローラを含み得る。
【００３２】
デバイスはまた、筐体内に保持される誘電体基板を含み得、共通アンテナは該誘電体基板上に少なくとも１つの導電性のトレースを備え得る。共通アンテナはまた、基準電圧供給点を有し得る。さらに、共通アンテナは、その中に少なくとも１つのスロットを有するパッチアンテナを備え得る。より詳細には、パッチアンテナは、概ね長方形の外周を有し得る。例として、上記少なくとも１つのスロットは、その中に外部共通アンテナ部分および内部共通アンテナ部分を定義する複数のスロットを含み得る。そのように、信号供給点のうちの少なくとも１つは、内部共通アンテナ部分上にあり得、および／または信号供給点のうちの少なくとも１つは、外部共通アンテナ部分上にあり得る。
【００３３】
無線ＲＦ送受信機のうちの少なくとも１つは、例えば、セル式送受信機であり得る。さらに例として、異なる動作周波数は、約９００ＭＨｚから６ＧＨｚの範囲内であり得る。さらに、異なる動作周波数は、それらに関連する異なるユーザ機能を有する。より詳細には、異なるユーザ機能は、例えば、音声通信、電子メール受信、電子メール送信、データ受信およびデータ送信のうちの少なくとも１つを含み得る。
【００３４】
まず、図１および図２を参照すると、１つ以上の通信ネットワーク３１と通信する移動無線通信デバイス３０は、筐体３２と、筐体によって保持される共通アンテナ３３とを例示的に含む。例として、無線通信ネットワーク３１は、例えば、セル式ネットワークおよび／または無線ローカルエリアネットワーク（ＬＡＮ）であり得る。共通アンテナ３３は、その上に複数の間隔の開いた信号供給点３４ａ〜３４ｎを例示的に含む。
【００３５】
アンテナ３３は、それが複数の無線周波数（ＲＦ）送受信機３５ａ〜３５ｎ（例えば、セル式送受信機および／または無線ＬＡＮ送受信機）によって共有されるという意味で「共通」であり、該複数の無線周波数（ＲＦ）送受信機３５ａ〜３５ｎもまた、筐体３２によって保持され、共通アンテナ３３の信号供給点３４ａ〜３４ｎのうちのそれぞれ１つに結合される。各無線ＲＦ送受信機は、好ましくは、以下でさらに議論されるように、それらに関連するそれぞれ異なる動作周波数を有する。さらに、デバイス３０はまた、無線ＲＦ送受信機３５ａ〜３５ｎのうちの少なくとも一部（すなわち２つ以上）を選択的に動作して、同時に共通アンテナ３３を有利に使用するコントローラ３６を含み得る。本明細書で使用される場合「同時に」は、開始および／または停止時間が同調されることを意味しないが、むしろ単に時間において一部のオーバーラップがある。当業者によって認識されるように、コントローラ３６は、必ずしも複数の送受信機３５をいかなる時間において動作する必要はない、すなわち、コントローラは一部の瞬間に、ある時間において１つの送受信機のみを動作し得る、ことが注意されるべきである。
【００３６】
デバイス３０はまた、当業者によって認識されるように、筐体３２内に保持される誘電体基板３７（図２）、例えば、プリント回路基板（ＰＣＢ）を例示的に含み、共通アンテナ３３は、該誘電体基板上に少なくとも１つの導電性のトレースを含み得る。典型的に、コントローラ３６および無線ＲＦ送受信機３５ａ〜３５ｎはまた、以下でさらに議論される他のコンポーネント、例えば、ディスプレイ、キーパッドなどと同様に、誘電体基板３７によって保持される。しかしながら、当業者によって認識されるように、共通アンテナ３３は、全ての実施形態において、必ずしも、無線ＲＦ送受信機３５ａ〜３５ｎおよび／またはコントローラを有する同一のＰＣＢ上に保持される必要はないことが注意されるべきであり、代わりにＰＣＢのリテーナフレーム外延上に保持され得るか、あるいは筐体内のＰＣＢ近くに据え付けられ得る。
【００３７】
一実施形態に従って、共通のアンテナ３３は、実質的に直線のアンテナ（例えば、逆Ｆアンテナ、モノポールなど）であり得る。図２に図示される実施形態において、共通アンテナ３３は、その中に外部共通アンテナ部分４２および内部共通アンテナ部分４３を定義する第一および第二のスロット４０、４１を有するパッチアンテナである。単一のスロットまたは３つ以上のスロットが他の実施形態において使用され得ることに注意されるべきである。図示される実施形態において見られるように、共通のパッチアンテナ３３は、長さおよび幅の寸法、Ｌ１、Ｌ３を有する、概ね長方形の外周を有するが、他の形状も可能である。
【００３８】
例示的な実施形態において、共通のパッチアンテナ３３は、単一の基準電圧（例えば、アース）点４４と、４つの信号供給点４５〜４８とを有する。図２に示されるように、基準電圧点４４は、第三および第四の信号供給点４７、４８と共に、内部共通アンテナ部分４３上に配置され、一方で第一および第二の供給点４５、４６は、外部共通アンテナ部分４２上に配置される。しかしながら、複数の基準電圧またはアース点４４を含む他の配置および他の数の供給点も可能である。さらに、一部の実施形態において、信号供給点４５〜４８のうちの１つ以上はまた、基準電圧／アースに選択的に結合され得る。
【００３９】
第一および第二のスロット４０、４１はまた、アンテナ３３の所望の動作周波数にチューンするように有利に選択され得る、幅Ｗ１〜Ｗ７および長さＬ２およびＬ４によって定義される複数のレッグ部を定義する。当業者によって認識されるように、レッグ部の一部は、実質的に所与の動作周波数帯と関連し得、一方で他の構造は複数の動作周波数帯に影響し得る。
【００４０】
共通アンテナ３３は、単一のマルチ供給アンテナを有利に提供し、該マルチ供給アンテナは、一部の従来のハンドセットにおけるような複数の異なるアンテナの代わりに使用されて、多周波数帯動作を提供し得る。このことは、利点、例えば、スペースの節約、ハンドセット設計の単純化、およびしばしば互いに接近して複数のアンテナを用いることに関連する電磁干渉（ＥＭＩ）問題の回避を提供し得る。
【００４１】
図３〜図１８を参照して、上記のパッチアンテナ構成の１つのインプリメンテーションのシミュレートされた動作特性が、ここで示される。シミュレーションに使用されるパッチ構造は、図２に図示される一般的な形状とわずかに異なる寸法を有することが注意されるべきである。シミュレーションに使用されるパッチアンテナ構造の寸法は、以下に表１に提供される。
【００４２】
【表１−１】
2011091813.tif 000003
【００４３】
【表１−２】
2011091813.tif 000004
例として、本例における異なる動作周波数は、約９００ＭＨｚから６ＧＨｚの範囲内であるが、他の周波数も使用され得る。異なる動作周波数は、それらに関連する異なるユーザ機能を有する。すなわち、特定の動作周波数が、当業者によって認識されるように、音声通信（すなわちセル式電話コール）と、インターネットまたは電子メール（ｅｍａｉｌ）データ通信のようなデータ通信とのうちの１つ以上に使用され得る。
【００４４】
第一の供給点４５に関連する動作周波数特性が、図３〜図６に図示される。より詳細には、例示的な構成動作において、アンテナ３３は、適切な無線ＲＦ送受信機３５の第一の供給点４５に対する選択的な接続を経由して、９００ＭＨｚ、１８００ＭＨｚおよび５ＧＨｚにおける動作を提供するように同調される。第一および第二のシミュレーションに対する、シミュレートされた周波数対反射減衰量の第一および第二のプロット５０、５１が、図３に示され、シミュレートされた周波数対ゲインのプロットが図４に示される。上記の周波数において、パッチアンテナ３３にわたってシミュレートされた電流分布は、それぞれ図５Ａ〜図５Ｃに示され、一方で周波数に対するゲインのパターンは図６Ａ〜図６Ｃにそれぞれ示される。
【００４５】
第二の供給点４６は、２．４５ＧＨｚの動作周波数に対して使用される。この周波数において第二の供給点４６を用いることに関連する、シミュレートされた周波数対反射減衰量、シミュレートされた周波数対ゲイン、シミュレートされた電流分布、およびシミュレートされたアンテナ放射パターンが、それぞれ図７、図８、図９および図１０に示される。第一の供給点４５と同様に、第三の供給点４７はまた、３つの動作周波数帯に対して使用される。該動作周波数帯は、２．１ＧＨｚ、５．２ＧＨｚおよび５．８ＧＨｚである。これらの周波数において第三の供給点４７を用いることに関連する、シミュレートされた周波数対反射減衰量、シミュレートされた周波数対ゲイン、シミュレートされた電流分布、およびシミュレートされたアンテナ放射パターンが、それぞれ図１１、図１２、図１３Ａ〜図１３Ｃおよび図１４Ａ〜図１４Ｃに示される。さらに、第二の供給点４６と同様に、第四の供給点４８が１．５４ＧＨｚという１つの動作周波数に対して使用される。この周波数において第四の供給点４８を用いることに関連する、シミュレートされた周波数対反射減衰量、シミュレートされた周波数対ゲイン、シミュレートされた電流分布およびシミュレートされたアンテナ放射パターンが、それぞれ図１５、図１６、図１７および図１８に示される。
【００４６】
上記のデバイス３０に含まれ得る他の例示的なコンポーネントが、ここで図１９に示されるハンドヘルドの移動無線通信デバイス１０００を参照して一般的に議論される。デバイス１０００は、筐体１２００とキーパッド１４００と出力デバイス１６００とを例示的に含む。示される出力デバイスは、ディスプレイ１６００であり、これは好ましくは、フルグラフィックＬＣＤである。他のタイプの出力デバイスが代替的に利用され得る。処理デバイス１８００は、筐体１２００内に含まれ、キーパッド１４００とディスプレイ１６００との間に結合される。処理デバイス１８００は、ユーザによるキーパッド１４００上のキーの作動に応答して、ディスプレイ１６００の動作を、移動デバイス１０００の動作全体と同様に制御する。
【００４７】
筐体１２００は、垂直方向に細長くあり得るか、または他のサイズおよび形状（クラムシェル筐体構造を含む）を持ち得る。キーパッドは、モード選択キー、あるいはテキストエントリとテレフォニーエントリとの間の切り替えをする他のハードウェアまたはソフトウェアを含み得る。
【００４８】
処理デバイス１８００に加え、移動デバイス１０００の他のパーツが、図１９に概略的に示される。これらは、通信サブシステム１００１と；短距離通信サブシステム１０２０と；キーパッド１４００と；ディスプレイ１６００とを、他の入力／出力デバイス１０６０、１０８０、１１００および１１２０、ならびにメモリデバイス１１６０、１１８０および様々な他のデバイスサブシステム１２０１とともに含む。移動デバイス１０００は、好ましくは、音声およびデータ通信能力を有する双方向ＲＦ通信デバイスである。さらに、移動デバイス１０００は、好ましくは、インターネットを経由して他のコンピュータシステムと通信する能力を有する。
【００４９】
処理デバイス１８００によって実行されるオペレーティングシステムソフトウェアは、好ましくは永続格納装置、例えば、フラッシュメモリ１１６０に格納されるが、他のタイプのメモリデバイス、例えば、読み込み専用メモリ（ＲＯＭ）または類似の格納エレメントに格納され得る。さらに、システムソフトウェア、特定のデバイスアプリケーソンまたはそれらのパーツは、揮発性格納装置、例えば、ランダムアクセスメモリ（ＲＡＭ）１１８０に一時的にロードされ得る。移動デバイスによって受信される通信信号もまた、ＲＡＭ１１８０に格納され得る。
【００５０】
処理デバイス１８００、さらにそのオペレーティングシステム機能は、デバイス１０００上のソフトウェアアプリケーション１３００Ａ〜１３００Ｎの実行を可能にする。基本のデバイス動作を制御するアプリケーションの所定のセット、例えば、データおよび音声通信１３００Ａおよび１３００Ｂは、製造の間にデバイス１０００にインストールされ得る。さらに、個人情報マネージャ（ＰＩＭ）アプリケーションは、製造の間にインストールされ得る。ＰＩＭは、好ましくは、データアイテム、例えば、電子メール、カレンダーイベント、音声メール、アポイントメントおよびタスクアイテムを組織化および管理することが可能である。ＰＩＭアプリケーションはまた、好ましくは、無線ネットワーク１４０１を経由してデータアイテムを送信および受信可能である。好ましくは、ＰＩＭデータアイテムは、無線ネットワーク１４０１を経由して、ホストコンピュータシステムに格納されるか、または関連するデバイスユーザの対応するデータアイテムと、シームレスに統合、同期およびアップデートされる。
【００５１】
データおよび音声通信を含む通信機能は、通信サブシステム１００１を介して、さらに可能性としては短距離通信サブシステムを介して行われる。通信サブシステム１００１は、受信機１５００と、送信機１５２０と、１つ以上のアンテナ１５４０および１５６０とを含む。さらに、通信サブシステム１００１はまた、処理モジュール、例えば、デジタル信号プロセッサ（ＤＳＰ）１５８０と、ローカルオシレータ（ＬＯ）１６０１とを含む。通信サブシステム１００１の特定の設計およびインプリメンテーションは、通信ネットワークに依存し、ここにおいて移動デバイス１０００は動作するように意図される。例えば、移動デバイス１０００は、ＭｏｂｉｔｅｘＴＭ、Ｄａｔａ  ＴＡＣＴＭまたはＧｅｎｅｒａｌ  Ｐａｃｋｅｔ  Ｒａｄｉｏ  Ｓｅｒｖｉｃｅ（ＧＰＲＳ）移動データ通信ネットワークと共に動作するように設計され、また任意の種々の音声通信ネットワーク、例えば、ＡＭＰＳ、ＴＤＭＡ、ＣＤＭＡ、ＷＣＤＭＡ、ＰＣＳ、ＧＳＭ、ＥＤＧＥなどと共に動作するようにも設計される通信サブシステム１００１を含み得る。離れて統合された、他のタイプのデータおよび音声ネットワークは、移動デバイス１０００と共に利用され得る。移動デバイス１０００はまた、他の通信規格、例えば、３ＧＳＭ、３ＧＰＰ、ＵＭＴＳなどを遵守する。
【００５２】
ネットワークアクセス要求は、通信システムのタイプに依存して変わる。例えば、ＭｏｂｉｔｅｘＴＭおよびＤａｔａ  ＴＡＣＴＭネットワークにおいて、移動デバイスは、一意的な個人識別番号または各デバイスに関連するＰＩＮを用いてネットワーク上で登録される。しかしながら、ＧＰＲＳネットワークにおいて、ネットワークアクセスは、加入者またはデバイスのユーザと関連する。ＧＰＲＳデバイスは、それゆえ、ＧＰＲＳネットワーク上で動作するために、一般的にはＳＩＭカードと呼ばれる加入者識別モジュールを必要とする。
【００５３】
ネットワーク登録または作動手順が完了している場合には、移動デバイス１０００は、通信ネットワーク１４０１を介して、通信信号を送信および受信し得る。アンテナ１５４０によって、通信ネットワーク１４０１から受信される信号は、受信機１５００にルートされ、受信機１５００は、信号増幅、周波数下方変換、フィルタリング、チャネル選択などを提供し、アナログ−デジタル変換を提供し得る。受信された信号のアナログ−デジタル変換は、ＤＳＰ１５８０が、より複雑な通信機能、例えば、復調およびデコーディングを行うことを可能にする。類似の方法で、ネットワーク１４０１に送信される信号がＤＳＰ１５８０によって処理され（例えば、変調およびエンコードされる）、次いで送信機１５２０に、デジタル−アナログ変換、周波数上方変換、フィルタリング、増幅およびアンテナ１５６０を経由した通信ネットワーク１４０１（または複数のネットワーク）への送信が提供される。
【００５４】
通信信号の処理に加え、ＤＳＰ１５８０は、受信機１５００および送信機１５２０の制御を提供する。例えば、受信機１５００および送信機１５２０内の通信信号に適用されるゲインは、ＤＳＰ１５８０にインプリメントされた自動ゲイン制御アルゴリズムを介して適応させるように制御され得る。
【００５５】
データ通信モードにおいて、テキストメッセージまたはダウンロードされるウェブページのような受信される信号は、通信サブシステム１００１によって処理され、処理デバイス１８００に入力される。受信された信号は、次いで、ディスプレイ１６００、または代替的にいくつかの他の補助的なＩ／Ｏデバイス１０６０に対する出力のために処理デバイス１８００によってさらに処理される。デバイスユーザはまた、キーパッド１４００および／またはいくつかの他の補助的なＩ／Ｏデバイス１０６０、例えば、タッチパッド、ロッカースイッチ、サムホイールもしくはいくつかの他のタイプの入力デバイスを用いて、データアイテム、例えば、電子メールメッセージを構成し得る。構成されたデータアイテムは、次いで、通信サブシステム１００１を経由して、通信ネットワーク１４０１を経由して送信され得る。
【００５６】
音声通信モードにおいて、受信された信号がスピーカー１１００に出力され、送信のための信号がマイクロフォン１１２０によって生成されることを除けば、デバイスの動作全体が、データ通信モードに実質的に類似する。代替的な音声および／または音響Ｉ／Ｏサブシステム、例えば、音声メッセージ記録サブシステムもまたデバイス１０００上にインプリメントされ得る。さらに、ディスプレイ１６００はまた、音声通信モードにおいて利用され得、例えば、発呼加入者の識別、音声コールの継続時間または他の音声コール関連情報を表示する。
【００５７】
短距離通信サブシステムは、移動デバイス１０００と、他のもっとも近いシステムまたはデバイスとの間の通信を可能にし、これは必ずしも類似のデバイスである必要はない。例えば、短距離通信サブシステムは、赤外線デバイスならびに関連する回路およびコンポーネント、またはＢｌｕｅｔｏｏｔｈＴＭ通信モジュールが含まれ、同様に可能なシステムおよびデバイスとの通信を提供する。
【００５８】
多くの変更および他の実施形態は、前述の記載および関連する図面に示される教示の利益を有する当業者に理解される。それゆえ、様々な変更および実施形態は、添付の特許請求の範囲の範囲内に含まれることが意図される。
【符号の説明】
【００５９】
３０  無線通信デバイス
３２  筐体
３３  共通アンテナ
３４ａ〜３４ｎ、４５〜４８  信号供給点
３５ａ〜３５ｎ  無線ＲＦ送受信機
３６  コントローラ
３７  誘電体基板
４０、４１  スロット
４２  外部共通アンテナ部分
４３  内部共通アンテナ部分
４４  基準電圧点
【図１】
2011091813.tif 000005
【図２】
2011091813.tif 000006
【図３】
2011091813.tif 000007
【図４】
2011091813.tif 000008
【図７】
2011091813.tif 000009
【図８】
2011091813.tif 000010
【図１１】
2011091813.tif 000011
【図１２】
2011091813.tif 000012
【図１５】
2011091813.tif 000013
【図１６】
2011091813.tif 000014
【図１９】
2011091813.tif 000015
【図５】
2011091813.tif 000016
【図６】
2011091813.tif 000017
【図９】
2011091813.tif 000018
【図１０】
2011091813.tif 000019
【図１３】
2011091813.tif 000020
【図１４】
2011091813.tif 000021
【図１７】
2011091813.tif 000022
【図１８】
2011091813.tif 000023